(57)【要約】      （修正有）【課題】転倒が防止され、耐震性に優れた仏壇を提供する。【解決手段】仏壇は、上面に開口を有する収納部１１を備える箱体と前記開口を覆う上蓋１３を備え、該上蓋１３の上面を水平面に形成し、底面に取り付けられたキャスター１０または底面が滑材で構成された固定部材で前方に引き出し自在に取り付けられた転倒防止部材３を底面近傍に配置してなり、該転倒防止部材３が、前方に引き出された状態で、仏壇の前面より前方で設置面に接して仏壇を起立状態に支持し、仏壇の転倒を防止する。【選択図】図２
2012249815.tif 000002
【特許請求の範囲】
【請求項１】
前方に引き出し自在に取り付けられた転倒防止部材を底面近傍に配置してなり、
該転倒防止部材が、前方に引き出された状態で、仏壇の前面より前方で設置面に接して仏壇を起立状態に支持し、仏壇の転倒を防止する１または２以上の前脚を備える仏壇。
【請求項２】
前記前脚が、前記転倒防止部材の底面に取り付けられたキャスターまたは底面が滑材で構成された固定部材である請求項１記載の仏壇。
【請求項３】
前記転倒防止部材が上面に開口を有する収納部を備える箱体である請求項１または２記載の仏壇。
【請求項４】
前記転倒防止部材が前記開口を覆う上蓋を備え、該上蓋の上面が水平面に形成されてなる請求項３記載の仏壇。
【発明の詳細な説明】
【技術分野】
【０００１】
本発明は仏壇に関し、より詳しくは、転倒が防止され、耐震性に優れる仏壇に関する。
【背景技術】
【０００２】
地震大国である日本では、従来より地震対策への関心は高い。家具については、突っ張り棒や粘着シートなどの転倒防止部材を取り付けるなどの対策が種々提案されているが、家具そのものに転倒防止機能を付与したものはほとんど知られていない。仏壇については、家具の中でも重量物であるにもかかわらず、耐震性はこれまで考慮されてこなかった。
【０００３】
ところで、仏壇の中には、下部に抽斗を配置したものがあり、この抽斗の上面を経机として用いられるよう構成したものがある。しかし、このような仏壇では、読経の後、経机として引き出された抽斗に手をついて立ち上がろうとしたとき、その加重により、引き出された抽斗を起点として仏壇全体が前方へ転倒するおそれがあり、安全面に問題がある。
【発明の概要】
【発明が解決しようとする課題】
【０００４】
そこで、本発明者らは、仏壇は基本的に幅広構造を有し、後方は壁などに面しているため、側方と後方に転倒し難い一方、仏壇の前方には、扉を開いたときに重心が前側に移るなど相対的に転倒し易い状態になることに着目し、鋭意検討を行った結果、転倒防止部材を新たに取り付けることなく、転倒が防止される構成を見出し、本発明を完成するに至った。すなわち、本発明は、転倒が防止され、耐震性に優れた仏壇を提供することを目的とする。
【課題を解決するための手段】
【０００５】
本発明は、前方に引き出し自在に取り付けられた転倒防止部材を底面近傍に配置してなり、該転倒防止部材が、前方に引き出された状態で、仏壇の前面より前方で設置面に接して仏壇を起立状態に支持し、仏壇の転倒を防止する１または２以上の前脚を備える仏壇に関する。このように構成することによって、転倒防止部材を前方に引き出したとき、仏壇が安定し、地震の揺れや前方への加重によって重心が変化し難い。
【０００６】
また、前記前脚が、前記転倒防止部材の底面に取り付けられたキャスターまたは底面が滑材で構成された固定部材であることが好ましい。このように構成することによって、転倒防止部材を移動させるときに、前脚と設置面との摩擦抵抗が低減される。
【０００７】
また、前記転倒防止部材が上面に開口を有する収納部を備える箱体であることが好ましい。このように構成することによって、転倒防止部材は収納機能を有する。また、収納物の重量によって仏壇の重心が下方に移動し、仏壇は安定する。
【０００８】
また、前記転倒防止部材が前記開口を覆う上蓋を備え、該上蓋の上面が水平面に形成されてなることが好ましい。このように構成することによって、転倒防止部材は上面に載置機能を有する。
【発明の効果】
【０００９】
本発明の仏壇は、前方に引き出された転倒防止部材の前脚が設置面に接して仏壇を起立状態に支持するため、仏壇が安定し、地震の揺れや前方への加重による転倒が防止される。
【００１０】
また、前脚をキャスターまたは底面が滑材で構成された固定部材としたものは、転倒防止部材が円滑に移動するため、引出しや引戻しがし易い。
【００１１】
さらに、転倒防止部材を、上面に開口を有する収納部を備える箱体としたものは、転倒防止部材に仏具などを収納することができ、収納物の重量によって仏壇は安定し、より転倒し難い。また、転倒防止部材を前方に引き出した状態で収納物の重量が増加した場合であっても、仏壇の前方で転倒防止部材の前脚が仏壇を起立状態に支持するため、収納物の重量によって仏壇はより安定し、転倒が防止される。
【００１２】
さらに、転倒防止部材の上面に水平面に形成された上蓋を備えるものは、花立や香炉、火立などを上蓋の上面に載置することで、転倒防止部材を経机やお供え台として使用することができ、また、転倒防止部材を前方に引き出した状態で載置物の重量が増加した場合であっても、仏壇の前方で転倒防止部材の前脚が仏壇を起立状態に支持するため、載置物の重量によって仏壇はより安定し、転倒が防止される。
【図面の簡単な説明】
【００１３】
【図１】本発明の実施の形態による仏壇の概略正面図である。
【図２】図１の仏壇の下部を縦断面で示した動作説明図であって、（ａ）は、転倒防止部材が仏壇に収納された状態を示した図であり、（ｂ）は、転倒防止部材が仏壇から引き出された状態を示した図である。
【発明を実施するための形態】
【００１４】
本発明の実施の形態による仏壇について、添付図面に沿って詳細に説明する。
【００１５】
仏壇１は、奥行きよりも幅が広い略直方体形状を有する構造体であり、図１に示されるように、位牌等を安置する本体部２と、その下の底面近傍に、前方に引き出し自在に収納された転倒防止部材３とを備える。図１では、本体部２は前面に開口を有する箱形状を有し、開口は両開きの扉５によって開閉自在に覆われている。なお、仏壇１を構成する主要な部材は基本的に木材で作製されている。
【００１６】
転倒防止部材３は、図２に示されるように、上面に開口を有する箱形状を有し、箱内を収納部１１とすることで、抽斗として機能する。また、転倒防止部材３の両側面には金属製のガイドレール１２が取り付けられており、これによって、転倒防止部材３は仏壇１から自在に引き出される。ガイドレールは既知のものを使用することができ、特に限定されない。
【００１７】
転倒防止部材３の下面中央の前方側にはキャスター１０が固定されている。キャスター１０は、転倒防止部材３が、前方に引き出された状態で、仏壇１の前面より前方で設置面に接して仏壇１を起立状態に支持し、仏壇１の転倒を防止する。これによって、転倒防止部材３の収納部１１に仏具などを収納して重量が増加しても、引き出された転倒防止部材３は、キャスター１０が仏壇１を起立状態に支持するため、前方に傾かず、また、地震の揺れや前方への加重による転倒が防止される。さらに、キャスター１０は設置面との摩擦抵抗が少ないため、転倒防止部材３が円滑に摺動し、引出しや引戻しがし易い。キャスター１０は既知のものを使用することができ、特に限定されない。
【００１８】
また、転倒防止部材３の上面には、矩形状の開口を覆う上蓋１３が着脱自在に配置されている。上蓋１３は、上面が水平面なので、転倒防止部材３を引き出した状態で、上蓋１３の上面に花立や香炉、火立などを載置することができ、経机やお供え台として使用することができる。この場合、上蓋１３に載置した物の重量が増加しても、引き出された転倒防止部材３は、キャスター１０が仏壇１を起立状態に支持するため、前方に傾かず、また、地震の揺れや前方への加重による転倒が防止される。
【００１９】
仏壇１の最下部には、矩形の板状体である底板６が仏壇１の両側面と後面に連結固定されており、これによって、仏壇１は強度および安定性に優れる。また、底板６の前端は、転倒防止部材３を仏壇１に収納したときに、転倒防止部材３の下面に固定されたキャスター１０と接触しないように仏壇１の前面より後方に位置する。あるいは、キャスター１０と接触しないように底板６の前端に切欠きを形成しても良い。
【００２０】
本発明の仏壇は、たとえば上記実施の形態に示すような構成を有することにより転倒が防止されるが、転倒防止部材が仏壇に収納された状態においても、地震の揺れによる転倒を防止することが期待できる。この点について説明する。転倒防止部材が収納された状態では、キャスターなどの前脚は仏壇の前面より前方に位置せず、邪魔にならない。また、このとき、前脚による転倒防止機能は発揮されない。しかし、仏壇が転倒するおそれがあるような強い揺れによって、転倒防止部材は前方に引き出され易くなる一方、転倒防止部材を収納状態に引き戻すような揺れのときは仏壇は後方の壁に支えられる。そのため、転倒防止部材は前へ進むことはできるが仏壇本体より後ろへ行くことはできず、揺れにより、転倒防止部材は多少の差はあれ仏壇本体より前に出ている状態が続く。そのため、揺れの前後を比較すると、揺れの後では転倒防止部材がより引き出された状態となり、転倒防止部材の前脚は仏壇の前面より前方で設置面に接して仏壇の転倒を防止することが期待できる。このように、本発明の仏壇は転倒が防止され、特に地震の揺れに対する転倒防止に優れることが期待できる。また、上述したように仏壇を構成することにより、仏壇の転倒を防止する方法、特に地震の揺れによる仏壇の転倒を防止する方法が提供され、仏壇の耐震性が改善されることが期待できる。
【００２１】
なお、上記実施の形態では、仏壇は幅広構造を有するものであったが、これに限定されるものではなく、転倒のおそれがある仏壇であれば本発明の構成を採用することができる。
【００２２】
また、上記実施の形態では、転倒防止部材は抽斗構造を有するものであったが、これに限定されるものではなく、転倒防止部材は膳引きなどの板状体や棒状体であっても良い。
【００２３】
さらに、上記実施の形態では、前脚はキャスターであったが、これに限定されるものではなく、前脚は種々の形状を有する材とすることができ、その数も特に限定されない。転倒防止部材の移動を円滑に行うため、前脚を、底面が滑材で構成された固定部材とすることも好ましい。
【符号の説明】
【００２４】
１  仏壇
２  本体部
３  転倒防止部材
５  扉
６  底板
１０  キャスター
１１  収納部
１２  ガイドレール
１３  上蓋
【図１】
2012249815.tif 000003
【図２】
2012249815.tif 000004